(57)【要約】
【課題】  ルールが簡単でありながら、ゲームとして楽しむことのできる球体を使った玩具を提供する。
【解決手段】  正三角形の領域内に複数個の球体５…を密に並べることによって形成される球体群２，３，４を多段に亘って備える。最上段の球体群４の上に１つの球体５を段積みすることによって外観が三角錐状に形作られる。偶数個の球体５…を２個ずつの球体に分けてそれら２個の球体５，５を一体に結合することによって１個の積上げユニット６を形成する。ベース台に、所要数の積上げユニット６を個別に位置決めして載置することによって最下段の球体群２を形成させる凹所１１が備わっている。異なる色に着色した２個の球体５，５を一体化することによって１個の積上げユニット６を形成する。
【選択図】        図１
0003101151.tif 000002
【実用新案登録請求の範囲】
【請求項１】
正三角形の領域内に複数個の球体を密に並べることによって形成される球体群を多段に亘って備え、かつ、最上段の球体群の上に１つの球体を段積みすることによって外観が三角錐状に形作られていると共に、最下段の球体群を除く他の全部の球体が、当該球体の下側の段の球体群に属して相隣接している３個の球体によって形成される凹所に配備されて位置決めされているピラミッド形積上げ玩具であって、
球体の全個数を偶数個とし、その偶数個の球体を２個ずつの球体に分けてそれら２個の球体を一体に結合することによって２個の球体が一体化した積上げユニットが形成されていると共に、最下段の上記球体群を載置するベース台を追加し、このベース台の複数箇所に、所要数の上記積上げユニットを個別に位置決めして載置することによって最下段の上記球体群を形成させる凹所が備わっていることを特徴とするピラミッド形積上げ玩具。
【請求項２】
全個数の上記球体を複数種類の色に色分けし、異なる色に着色された２個の球体を一体化することによって１個の積上げユニットが形成されている請求項１に記載したピラミッド形積上げ玩具。
【請求項３】
１個の積上げユニットを位置決めする上記凹所が、その積上げユニットを形成している２個の球体を各別に位置決めする一対の円形窪み部でなる請求項１又は請求項２に記載したピラミッド形積上げ玩具。
【請求項４】
ピラミッド形に積み上げられた上記球体の全部を覆ってその外観を三角錐状に保形する透明なカバーを追加し、そのカバーが上記ベース台に着脱可能である請求項２又は請求項３に記載したピラミッド形積上げ玩具。
【考案の詳細な説明】
【技術分野】
【０００１】
本考案は、ピラミッド形積上げ玩具、特に、所要数の球体を用い、それらの球体を、外観が三角錐状になるように積み上げるピラミッド形積上げ玩具に関する。
【背景技術】
【０００２】
球体を使った玩具が従来より多種類のものが知られている。また、ゲームとして楽しむことのできる玩具には、ルールが簡単でありながら、そのゲームをクリアするのに適度の困難を伴うものであることが要求されることもある。
【考案の開示】
【考案が解決しようとする課題】
【０００３】
本考案は上記要求に応え得る球体を用いたピラミッド形積上げ玩具を提供することを目的としている。
【課題を解決するための手段】
【０００４】
本考案に係るピラミッド形積上げ玩具は、正三角形の領域内に複数個の球体を密に並べることによって形成される球体群を多段に亘って備え、かつ、最上段の球体群の上に１つの球体を段積みすることによって外観が三角錐状に形作られていると共に、最下段の球体群を除く他の全部の球体が、当該球体の下側の段の球体群に属して相隣接している３個の球体によって形成される凹所に配備されて位置決めされているピラミッド形積上げ玩具であって、球体の全個数を偶数個とし、その偶数個の球体を２個ずつの球体に分けてそれら２個の球体を一体に結合することによって２個の球体が一体化した積上げユニットが形成されていると共に、最下段の上記球体群を載置するベース台を追加し、このベース台の複数箇所に、所要数の上記積上げユニットを個別に位置決めして載置することによって最下段の上記球体群を形成させる凹所が備わっている、というものである。
【０００５】
同一大きさの３個の球体を正三角形の領域内に密に並べると、それら３個の球体によって凹所が形成される。そして、その凹所に１個の球体を位置決めして載置すると、４個の球体によって外観が三角錐状を呈する球体集合体を容易に形成することができる。このことから、正三角形の領域内に所要個数の個別の球体を密に並べることによって最下段の球体群を形作り、その上に多段に同様の球体群を積み上げるという作業を繰り返すと、球体群が多段に亘って積み上げられ、かつ、最上段の球体群の上に１個の球体が位置決めされている球体集合体を比較的容易に形成することが可能であり、そのような球体集合体は、外観形状が三角錐状のピラミッド形になっている。
【０００６】
これに対し、この考案のように、球体の全個数を偶数個とし、その偶数個の球体を２個ずつの球体に分けてそれら２個の球体を一体に結合することによって２個の球体が一体化した積上げユニットを形成するという工夫を講じると、その積上げユニットを用いて外観が三角錐状のピラミッド形を形作るという作業には、個別の球体を用いる作業に比べて困難性が高まる。したがって、この考案によると、外観が三角錐状のピラミッド形を形作る作業に適度の困難を持たせたピラミッド形積上げ玩具を提供することが可能になる。
【０００７】
また、この考案では、最下段の球体群を載置するベース台を追加し、このベース台の複数箇所に、所要数の積上げユニットを個別に位置決めして載置することによって最下段の球体群を形成させる凹所が備わっている、という構成を追加してあるので、最下段の球体群を形成するための複数個の積上げユニットを、正三角形の領域内に確実に位置決めして配備することが可能になり、そのために、最下段の球体群が形崩れしてその上に球体を積み上げることができなくなるという事態を改善することが可能である。
【０００８】
本考案では、全個数の上記球体を複数種類の色に色分けし、異なる色に着色された２個の球体を一体化することによって１個の積上げユニットが形成されている、という構成を採用することが可能である。これによれば、たとえば、同じ色の球体が隣接しないように積上げユニットを並べたり積み上げたりするという楽しみ方が可能になり、それだけ作業の困難性が高まる。また、積上げユニットを並べたり積み上げたりするパターンは単一のパターンに限定されるものではないので、様々な並べ方や積上げ方を試みるという楽しみ方ができるようになる。
【０００９】
本考案では、１個の積上げユニットを位置決めする上記凹所が、その積上げユニットを形成している２個の球体を各別に位置決めする一対の円形窪み部でなる、という構成を採用することが可能である。ベース台の複数箇所に形成する凹所の形状としては、２個の球体を一体化した積上げユニットを位置決めして載置することが可能な長円形の凹所や矩形の凹所などであってもよいが、それらによると、１つの凹所に載置する積上げユニットの方向を凹所の形状を見て容易に知ることができる。しかし、この考案のように、１個の積上げユニットを位置決めする凹所が、その積上げユニットを形成している２個の球体を各別に位置決めする一対の円形窪み部でなるという構成を採用すると、ベース台に形成されている円形窪み部のうちのどの円形窪み部を使って積上げユニットを載置するかによってその積上げユニットを位置決めしたときの方向が異なるようになり、円形窪み部の選択を誤ると、正三角形の領域内に積上げユニットを配置することができなくなることもあり得るので、それだけ作業の困難性が高まるようになる。
【００１０】
本考案では、ピラミッド形に積み上げられた上記球体の全部を覆ってその外観を三角錐状に保形する透明なカバーを追加し、そのカバーが上記ベース台に着脱可能である、という構成を採用することが可能てあり、これによれば、透明なカバーをベース台に装着してピラミッド形に積み上げられた球体を保形することが可能であるので、このピラミッド形積上げ玩具をインテリア性を備えた置物として活用することも可能になる。
【考案の効果】
【００１１】
本考案によれば、球体を使ってはいるものの、球体を個別に取り扱うというものではなくて２個の球体を一体化することにより形成した積上げユニットを取り扱ってピラミッド形を形作るというものであるので、ゲームとして楽しむことができることは勿論、そのゲームをクリアするのに、ルールが簡単でありながら適度の困難を伴うピラミッド形積上げ玩具を提供することか可能になる。また、色違いの２個の球体を備えた積上げユニットを用いるものでは、その困難性をさらに高めた楽しみ方をできるようになる。
また、透明カバーを追加したものでは、玩具としてだけでなく、インテリア性を備えた置物としても活用することができるようになる。
【考案を実施するための最良の形態】
【００１２】
図１、図２及び図３は本考案に係るピラミッド形積上げ玩具Ａの概略外観図である。また、図４はベース台１に積上げユニット６を載置した状態の拡大部分断面図である。さらに、図５はベース台１の平面図、図６は最下段の球体群２を説明するための平面図、図７は中間段の球体群３を説明するための平面図、図８は最上段の球体群４を説明するための平面図、図９はピラミッド形の頂部を形成する積上げユニット６を説明するための平面図である。
【００１３】
図１〜図３において、図１は野球ボールを模した所要数の球体５…を用いたピラミッド形積上げ玩具Ａを示し、図２はゴルフボールを模した所要数の球体５…を用いたピラミッド形積上げ玩具Ａを示し、図３はサッカーボールを模した所要数の球体５…を用いたピラミッド形積上げ玩具Ａを示している。
【００１４】
図１〜図３の各ピラミッド形積上げ玩具Ａでは、ベース台１の上に３段に亘って球体群２，３，４が積み上げられ、最上段の球体群４の上に１個の球体５が段積みされている。また、最下段の球体群２、中間段の球体群３、最上段の球体群４はいずれも同一大きさの複数個の球体５…を正三角形の領域内に密に並べることによって形成されているけれども、それぞれの球体群２，３，４を形成している球体５の個数は上段側の球体群ほど少なくなっていて、全体としては外観が三角錐状のピラミッド形に形作られている。
【００１５】
球体５の全個数は偶数個、具体的には２０個であり、その２０個の球体５…を２個ずつの球体５，５に分けてそれら２個の球体５，５を接着剤で接合するといった手段で一体に結合することによって、図４に示した２個の球体５，５が一体化した積上げユニット６が形成されている。
【００１６】
図５のように、ベース台１には仮想正三角形の３つの頂点に位置する３箇所イ，ロ，ハと、その仮想三角形の中央に位置する１箇所ニと、その仮想三角形の２つの頂点の相互間に位置する各２箇所ホ，ヘ，ト，チ，リ，ヌとに、それぞれ円形窪み部１２…が形成されている。これらの円形窪み部１２…は合計で１０個あり、どの位置で隣接している２個の円形窪み部１２，１２についてもその相互間隔は一定である。そして、１０個の円形窪み部１２…のうちの隣接する２個の円形窪み部１２，１２を適切に選択することによって１個の積上げユニット６の載置箇所が形成され、その載置箇所に載置された積上げユニット６の２個の球体５，５が図４のように各別に円形窪み部１２，１２に嵌まってその位置に位置決めされるようになっている。したがって、適切に選択された隣接する２個の円形窪み部１２，１２によって、１個の積上げユニット６を個別に位置決めして載置するための凹所１１が形成されている。
【００１７】
ベース台１に形成されている１０個の円形窪み部１２…のうちの隣接する２個の円形窪み部１２，１２を適切に選択することによって１０個の円形窪み部１２…を５つの組に区別し、それぞれの組に属する２個の円形窪み部１２，１２によって形成される５箇所の凹所１１のそれぞれに積上げユニット６を１個ずつ載置すると、たとえば図６のように５個の積上げユニット６…が正三角形の領域内に配備され、しかも、５個の積上げユニット６…を形成している１０個の球体５…が正三角形の領域内に密に並んで位置決めされて最下段の球体群２が形成される。
【００１８】
図６に示した最下段の球体群２では、相隣接している任意の３個の球体５…によって１つの凹所７が形成される。中間段の球体群３はそのような凹所７を選択利用して積上げユニット６を配備することにより形成されている。すなわち、最下段の球体群２には、図６に表れているように９箇所に凹所７…が形成されており、この９箇所の凹所７…のうち、最下段の球体群２の中央に位置している球体５ａの周囲３箇所の凹所７…を除く６箇所の凹所７…を選び、その６箇所の凹所７…のうちの隣接する２箇所の凹所７，７を適切に選択すると共に、それら６箇所の凹所７…を２箇所ずつの凹所７，７によって形成される３つの組に区別し、それぞれの組に属する２箇所の凹所７，７のそれぞれに積上げユニット６を１個ずつ載置すると、たとえば図７のように３個の積上げユニット６…が正三角形の領域内に配備され、しかも、３個の積上げユニット６を形成している６個の球体５…が正三角形の領域内に密に並んで位置決めされて中間段の球体群３が形成される。なお、中間段の球体群３を形成している３個の積上げユニット６の各球体５は、それぞれ凹所７に位置決めされて載置されている。
【００１９】
図７に示した中間段の球体群３では、相隣接している任意の３個の球体５…によって１つの凹所８が形成される。最上段の球体群４はこのような凹所８を選択利用して積上げユニット６を配備することにより形成されている。すなわち、中間段の球体群３には、図７に表れているように４箇所に凹所８…が形成されており、これら４箇所の凹所８…のうち、中央の凹所８を除く２箇所の凹所８，８を選び、その２箇所の凹所８，８を利用して積上げユニット６を１個載置して位置決めすると、たとえば図８のように１個の積上げユニット６が正三角形の領域内に配備され、しかも、その正三角形の領域内に１つの露出した凹所８が位置する。なお、２箇所の凹所８，８に載置されている積上げユニット６の２個の球体５，５は、それぞれの凹所８に位置決めされて載置されている。
【００２０】
次に、図９に示したように、上記した正三角形の領域内で露出している１つの凹所８に１個の積上げユニット６を形成している片側の球体５を載置して位置決めすると、その球体５が、図８で説明した積上げユニット６を形成している２個の球体５，５と共働して最上段の球体群４を形成し、それら３個の球体５…が正三角形の領域内に密に配備される。そのため、積上げユニット６の他側の球体５を最上段の球体群５に族している積上げユニット６の２個の球体５，５の間の箇所にもたせ掛けると、他側の球体５が最上段の球体群５の上に段積みされて位置決めされる。
【００２１】
以上例示した手順によって１０の積上げユニット６…を段積みすると、２０個の球体５…がベース台１上で三角錐状、すなわちピラミッド形の外観を呈する。しかし、ベース台１に積上げユニット６を載置するときに、その積上げユニット６を位置決めして載置するための２個の円形窪み部１２の選択を誤ったり、最下段や中間段の各球体群２，３の２箇所の凹所７，８の選択を誤ったり、さらには、最後に積み上げる積上げユニット６を立て掛けて配置するということに気付かなかったりすると、ピラミッド形を形作ることができない。そのために、適度の困難性を伴って積上げ作業を楽しむことができる。
【００２２】
ところで、２０個の球体５…の全部を複数種類の色、たとえば白、黄、青、赤、橙といった５種類の色に色分けし、異なる色に着色された２個の球体５，５を一体化することによって１個の積上げユニット６を形成しておき、同じ色が同一段又は異なる段の間で隣接しないように積み上げるというルールの下で積上げ作業を行うと、困難性がさらに高い積上げ作業を楽しむことができる。
【００２３】
上記実施形態では、２個の球体を一体化した積上げユニット６を１０個用いて４段のピラミッド形を形作るもの説明したけれども、２個の球体を一体化した積上げユニット６を、１０個より多く用いてさらに多段のピラミッド形を形作るようにすることも可能である。
【００２４】
また、上記実施形態では、ベース台１に形成されて１個の積上げユニットを位置決めする凹所１１を、積上げユニット６を形成している２個の球体５，５を各別に位置決めする一対の円形窪み部１２，１２によって形成した事例を説明したけれども、この点は、たとえば図１０（Ａ）（Ｂ）に示したように、２個の球体５，５を一体化した積上げユニット６を位置決めして載置することが可能な長円形の凹所１１としてもよく、また、図示していないけれども、矩形の凹所などであってもよい。そして、凹所１１の形状に長円形や矩形を採用すると、１つの凹所１１に載置する積上げユニット６の方向を凹所１１の形状を見て容易に知ることができるため、適切に選択された一対の円形窪み部１２，１２によって凹所１１が形成される場合に比べて、ベース台１上での積上げユニット６の配置の仕方の難易度が低くなる。そのため、積上げ作業の困難性がそれほど高くないことが望まれるユーザを対象とする場合に有益である。
【００２５】
ところで、図１に一点鎖線で示したように、ピラミッド形に積み上げられた球体５…の全部を覆ってその外観を三角錐状に保形する透明なカバー９を追加し、そのカバー９をベース台１に着脱可能にしておくこともできる。この構成を採用しておくと、透明なカバー９を、ピラミッド形に積み上げられた球体５…を覆ってベース台１に装着しておくことによりピラミッド形の形崩れが防止されるので、室内のインテリア性を発揮する置物として活用することが可能である。特に、１つの積上げユニット６が異なる色の２つの球体５，５によって形成されているものでは、カラフルなインテリア性が発揮されるという利点がある。
【図面の簡単な説明】
【００２６】
【図１】本考案に係るピラミッド形積上げ玩具の概略外観図である。
【図２】本考案に係る他のピラミッド形積上げ玩具の概略外観図である。
【図３】本考案に係るさらに他のピラミッド形積上げ玩具の概略外観図である。
【図４】ベース台に積上げユニットを載置した状態の拡大部分断面図である。
【図５】ベース台の平面図である。
【図６】最下段の球体群を説明するための平面図である。
【図７】中間段の球体群を説明するための平面図である。
【図８】最上段の球体群を説明するための平面図である。
【図９】ピラミッド形の頂部を形成する積上げユニットを説明するための平面図である。
【図１０】（Ａ）は変形例による凹所の形状を示した説明図、（Ｂ）は（Ａ）の凹所に積上げユニットを載置した状態の拡大部分断面図である。
【符号の説明】
【００２７】
１  ベース台
２，３，４  球体群
５  球体
６  積上げユニット
７，８  相隣接している３個の球体によって形成される凹所
９  カバー
１１  凹所
１２  円形窪み部
【図１】
0003101151.tif 000003
【図２】
0003101151.tif 000004
【図３】
0003101151.tif 000005
【図４】
0003101151.tif 000006
【図５】
0003101151.tif 000007
【図６】
0003101151.tif 000008
【図７】
0003101151.tif 000009
【図８】
0003101151.tif 000010
【図９】
0003101151.tif 000011
【図１０】
0003101151.tif 000012